(57)【要約】【課題】  常時は商用電源によりＬＥＤを点灯する足元灯において、停電時には電池にバックアップさせて照明機能を維持できるようにすることと、非常時などには携帯電灯としても使用できるようにする。【解決手段】  ケース本体１内に、ＡＣ電源のコンセントに差し込まれるプラグ９と、暗さを検出する回路１９と人体の存在を検出する回路１８と、上記両回路の導通によって点灯する第１のＬＥＤ１を備えた足元灯であって、上記両回路とは別に、ＡＣ電源の停電を自動的にバックアップして一次電池６によって上記ＬＥＤを点灯する停電用回路２１を備えた足元灯を提供する。【選択図】  図２
0003108623.tif 000002
【実用新案登録請求の範囲】
【請求項１】
ケース本体内に、ＡＣ電源のコンセントに差し込まれるプラグと、暗さを検出する回路と人体の存在を検出する回路と、上記両回路の導通によって点灯する第１のＬＥＤとを備えて、通路の足元を照明するようにした足元灯であって、前記両回路とは別に、ＡＣ電源の停電を自動的にバックアップして一次電池によって上記第１のＬＥＤを点灯させる停電用回路を備えたことを特徴とする足元灯。
【請求項２】
前記安全灯は、前記暗さを検出する回路の導通と人体の存在を検出する回路の導通を切り換える第１の切換えスイッチと、上記ＡＣ電源用の回路から前記停電用回路のみの導通に切り換える第２の切換えスイッチとを備えるとともに、上記停電用回路中に第２のＬＥＤを備え、前記停電時に上記第２の切換えスイッチを切り換えて前記一次電池によって第２のＬＥＤを点灯し、前記プラグをコンセントから抜き出して、この第２のＬＥＤを光源とする携帯電灯として用いられるようにしたことを特徴とする請求項１記載の足元灯。
【請求項３】
前記ケース本体は、一方の端部に前記第２のＬＥＤを装着し、背面側に、前記電池の電池ボックスと該ボックスを開閉するスライド可能な電池蓋を備えるとともに、この電池蓋の開く方向の前縁に、上記ケース本体の背面内に起伏可能に設けた前記プラグを突出させる凹部を形成し、上記電池の交換に際しては、コンセントからプラグを抜き出してケース本体内に倒した後に電池蓋をスライドできるように構成して、電池交換の際にプラグを介する感電を無くすようにしたことを特徴とする請求項２記載の足元灯。
【請求項４】
前記停電用回路中に、前記電池のドロップダウンを表示する第３のＬＥＤを接続したことを特徴とする請求項２記載の足元灯。
【考案の詳細な説明】
【技術分野】
【０００１】
本発明は、主として通路の壁際などに取り付けられて、暗い足元を照明したり、人の通行を検知して照明する場合などに用いられるようにした足元灯に関し、通常時にはＡＣ電源を使用して点灯し、停電時には自動的に一次電池にバックアップさせて点灯を継続できるようにしたことを特長とする。
【背景技術】
【０００２】
足元灯の他、案内灯あるいは非常灯にも用いられるこの種の足元灯は、主として、光源に蛍光灯とか白熱電灯を使用し、商用のＡＣ電源により点灯できるようにしている。
また、特許文献１のように、灯火具が、周囲の明るさを検出するセンサユニットと、人体の存在を検出するセンサユニットの作動により点滅するようにしたものがある。
さらに、光源にＬＥＤを使用し、人体検出センサと照度検出センサを備えてＬＥＤを点灯させるようにした足元灯には特許文献２、３がある。
また、電球を内蔵したケースにプラグ刃を突出させて商用電源に接続させるようにした足元灯には特許文献４の配線装置がある。
【０００３】
【特許文献１】特開２００２−３１３５８７公報（例えば、第１頁、図１参照）
【特許文献２】特許第３５０３４３１号公報（例えば、第１頁、図１参照）
【特許文献３】特開平１１−１６２２１２号公報（例えば、第１頁、図１参照）
【特許文献４】特開平１０−１１２３６２号公報（例えば、第１頁、図１参照）
【０００４】
上記特許文献１、２、３は、商用電源を用い、主として壁際に埋設するものであったので、停電時に点灯できない欠点がある。また、同じく商用電源を使用する特許文献４は、プラグ刃を抜けばコンセントがある場所へどこにでも移し替えられる利点があるが、停電時に点灯できない点では前３者と同様であった。
【考案の開示】
【考案が解決しようとする課題】
【０００５】
本考案が解決しようとする問題点は、常時は商用電源を用いてＬＥＤを点灯する足元灯において、停電時には一次電池にバックアップさせて点灯を継続できるようにすることと、非常時などにはコンセントからプラグを抜いて携帯電灯として使用できるようにすることにある。
【課題を解決するための手段】
【０００６】
そこで本発明は、上記の課題を解決するために、ケース本体内に、ＡＣ電源のコンセントに差し込まれるプラグと、暗さを検出する回路と人体の存在を検出する回路と、上記両回路の導通によって点灯する第１のＬＥＤとを備えて、通路の足元を照明するようにした足元灯であって、前記両回路とは別に、ＡＣ電源の停電を自動的にバックアップして一次電池によって上記第１のＬＥＤを点灯させる停電用回路を備えたことを特徴とする足元灯を提供するものである。
【考案の効果】
【０００７】
本考案に係る足元灯は、ＡＣ電源の停電時に一次電池が自動的にバックアップして第１のＬＥＤを継続的に点灯するので、例えば、非常事態などで停電が起きた場合でも足元灯としての機能が働いて、人々を安全な場所へ誘導できる利点がある。
また、電池交換が素早くできる一次電池を採用することにより、充電に時間がかかるとともにＡＣ電源の停電時には充電できない充電器の不便とか、設備費が嵩む自家発電への切り換えが不要になる。  
【考案を実施するための最良の形態】
【０００８】
本発明に係る足元灯は、ケース内に、ＡＣ電源接続用のコンセントに差し込まれるプラグと、暗さを検出する回路と人体の存在を検出する回路とを有し、上記両回路の導通によって点灯する第１のＬＥＤを備える。
上記両回路とは別に、ＡＣ電源の停電を自動的にバックアップして一次電池によって第１のＬＥＤを点灯する停電用回路を備える。
上記暗さを検出する回路の導通と人体の存在を検出する回路の導通を切り換える第１の切換えスイッチと、上記ＡＣ電源用回路から前記停電用回路のみの導通に切り換える第２の切換えスイッチとを備えるとともに、停電用回路中に第２のＬＥＤを備える。
停電時には、コンセントから前記プラグを抜き、第２の切換えスイッチを切り換えて、一次電池を電源とし、第２のＬＥＤを光源とする携帯電灯として用いられようにする。
ケース本体は、上記第２のＬＥＤを一方の端部に装着し、背面側に、電池ボックスと該ボックスを開閉するスライド可能な電池蓋を備える。
電池蓋の開く方向の前縁に、ケース本体の背面側内に起伏可能に設けたプラグを突出させる凹部を形成し、一次電池の交換に際しては、コンセントからプラグを抜いてケース本体内に倒した後でなければ電池蓋をスライドできないように構成して、電池交換の際の感電を無くすようにする。
上記停電用回路中に、一次電池のドロップダウンを表示する第３のＬＥＤを接続する。
【実施例】
【０００９】
以下に、本考案の実施例を図面について説明する。
図１は、実施例の分解斜視図、
図２は、実施例に付設した電気回路図、
図３は、実施例の正面図、
図４は、実施例の右側面図、
図５は、実施例の背面図、
図６は、電池蓋をスライドさせた図１のＡ−Ａ線断面図、
図７は、電池蓋をスライドさせた状態の背面図、
図８は、電池蓋を取り外した状態の背面図、
図９は、ケースカバーを取り外した状態の背面図、
図１０は、基板を取り外した状態の背面図である。
【００１０】
図において、１は片手で持ち歩けるほどの大きさのケース本体、２はケース本体１の正面下部に装着した第１のＬＥＤ、３は第１のＬＥＤ２を覆う散光レンズ、４はケース本体１の図示下端部に装着した第２のＬＥＤ、５はケース本体１の背面側に形成した電池ボックス、６はこのボックス５内に収容される一次電池（例えば乾電池）、７はボックス５を開閉するスライド可能な電池蓋、８はケース本体１の正面上部に装着したフォトセンサの取付け台、８’は取付け台８を覆うレンズ、９は取付け台８の裏側に、背面側に向けて起伏可能に備えたプラグである。
【００１１】
プラグ９は、図４中に虚線で示すように、ケース本体１の背面側に起立させて図示省略のコンセントに差し込まれ、足元灯にＡＣ電流を導入する。
１０は、図５、６、７に示すように、電池蓋７の開く方向（図示に右側）の前縁に設けられ、プラグ９の部分を囲むように形成した凹部、１１は、図３に示すように、ケース本体１の正面下部に備えた第１のＬＥＤ２の傍らに装着した第３のＬＥＤ、１２はフォトセンサの取付け台８とプラグ９との間に備えた基板、１３は、図４に示すように、ケース本体１の側面に備えられて、暗さを検出する回路と人体の存在を検出する回路との導通を切り換える第１の切換えスイッチ、１４は、ＡＣ電源用回路から停電用回路のみの導通に切り換える切換えスイッチである。
【００１２】
次ぎに、この実施例に備えた電気回路Ｅを図２について説明する。
図２において、１５はＡＤ変換回路、１６はＡＣ入力検出回路、１７は足元灯（第１のＬＥＤ２）の点灯回路、１８は人体センサ回路、１９は暗さ明るさのセンサ回路、２０は電池容量検出回路（第３のＬＥＤ１１の点灯回路）、２１は停電用回路（第１のＬＥＤ２および第２のＬＥＤ４の点灯回路）、２２はＡＣ電源、２３は人体センサ回路１８に接続したタイマー回路、２４はタイマー回路２３のリセット回路である。
【００１３】
電気回路Ｅは、図２中のスイッチＳＷ２(図４中の第２の切換えスイッチ１４）がいずれか一方にＯＮしているときにＬＥＤ１（図６中の第１のＬＥＤ２）を点灯する。
そして、ＡＣ電源２２が停電した場合には、この案内灯は、電気回路Ｅ中で自動的に停電用回路２１のみの導通に切り替わり、同回路２１中の電池６を電源としてＬＥＤ１（第１のＬＥＤ２）を継続して点灯する。
【００１４】
また、電気回路Ｅ中のスイッチＳＷ１(ケース本体側面の第２の切換えスイッチ１３）を切り換えると、この案内灯は、停電用回路２１のみの導通に切り替り、同回路２１中のＬＥＤ２（図６中の第２のＬＥＤ４）が点灯する。さらに、コンセントからプラグ９を抜き出せば、この安全灯は、一次電池６を電源とし、ケース本体１の端面に備えた第２のＬＥＤ４を光源とする携帯電灯として持ち歩くことができる。
またこの安全灯は、一次電池６の電圧レベルがドロップダウンすると、図３、６に示すように、第１のＬＥＤ２の傍らに装着した第３のＬＥＤ１１（電池容量検出回路１８中のＬＥＤ３）が導通して電池交換の時期が来たことを表示する。そして電池交換の際は、コンセントからプラグ９を抜いてケース本体１の背面内に倒し込まなければ、電池蓋７を開くことができないので、不用意な使用で感電することを防止し、安全性にも優れている（図６、７参照）。
【００１５】
この実施例においては、上記第３のＬＥＤ１１は赤色に発光し、白色に発光する第１のＬＥＤ２の点灯中にも認識できるようにしている。
また、人体センサ回路１８に接続したタイマー回路２３は、人体センサ回路１８からの入力の度毎にリセット回路２４でリセットされて設定時間のＯＮを繰り返し、最終の入力があった時刻から設定時間の経過と共に第１のＬＥＤ２を消灯する。
【産業上の利用可能性】
【００１６】
本考案に係る足元灯は、主として宿泊施設、病院、学校等のように多数の人が往来する通路に施設して有用であるが、前述のように、足元灯の他、案内灯あるいは非常灯にも用いられる。
なお、本考案の実施に際し、各部の構成は実施例の態様に限定されるものではなく、本考案の要旨にそって適宜に設計変更できることはいうまでもない。
【図面の簡単な説明】
【００１７】
【図１】実施例の分解斜視図である。
【図２】実施例に付設した電気回路図である。
【図３】実施例の正面図である。
【図４】実施例の右側面図である。
【図５】実施例の背面図
【図６】電池蓋をスライドさせた図１のＡ−Ａ線断面図である。
【図７】電池蓋をスライドさせた状態の背面図である。
【図８】電池蓋を取り外した状態の背面図である。
【図９】ケースカバーを取り外した状態の背面図である。
【図１０】基板を取り外した状態の背面図である。
【符号の説明】
【００１８】
１  ケース本体
２  第１のＬＥＤ（ＬＥＤ１）
３  散光レンズ
４  第２のＬＥＤ（ＬＥＤ２）
５  電池ボックス
６  一次電池
７  電池蓋
８  フォトセンサの取付け台  （８’  レンズ）  
９  プラグ
１０  凹部
１１  第３のＬＥＤ（ＬＥＤ３）
１２  基板
１３  第２の切換えスイッチ（ＳＷ２）
１４  第１の切換えスイッチ（ＳＷ１）
Ｅ  電気回路
１５  ＡＤ変換回路
１６  ＡＣ入力検出回路
１７  足元点灯（第１のＬＥＤ点灯）回路
１８  人体センサ回路
１９  暗さ明るさのセンサ回路
２０  電池容量検出（第３のＬＥＤ点灯）回路
２１  停電用（第２のＬＥＤ点灯）回路
２２  ＡＣ電源
２３  タイマー回路
２４  リセット回路
【図１】
0003108623.tif 000003
【図２】
0003108623.tif 000004
【図３】
0003108623.tif 000005
【図４】
0003108623.tif 000006
【図５】
0003108623.tif 000007
【図６】
0003108623.tif 000008
【図７】
0003108623.tif 000009
【図８】
0003108623.tif 000010
【図９】
0003108623.tif 000011
【図１０】
0003108623.tif 000012